(57)【特許請求の範囲】
【請求項１】
基端側が異形棒鋼の先端部に嵌装し圧縮により圧着して固定されている筒状ウエッジと、前記筒状ウエッジの先端側に形成された複数個の拡張部片を押し拡げるための拡開用プラグとを具えた差筋アンカであって、前記筒状ウエッジの前記異形棒鋼への嵌装部分が基端縁部に原形状を残して全周で圧縮され、前記原形状の基端縁部が鍔片を形成していることを特徴とする差筋アンカ。
【発明の詳細な説明】
【０００１】
【産業上の利用分野】
本発明は鉄筋コンクリートなどの既設構造物に先端部を埋込み固定して植設し、新設コンクリート構造物の接合部位における接続或いは補強部材として使用する差筋アンカに関するものである。
【０００２】
【従来の技術】
既設コンクリート構造物にかさ上げ、補強柱や間仕切壁の増設、ブロック積みなどを行なう場合、異形棒鋼の先端部に抜止めとして働く筒状ウエッジとその拡開用プラグとを具えた差筋アンカを使用し、既設コンクリート構造物の表面に形成した取付孔にプラグと筒状ウエッジとを挿入して異形棒鋼の基端面をハンマで打撃し筒状ウエッジをプラグにより押し拡げて取付孔壁に喰付かせることによって固定し、取付孔から突出している異形棒鋼を新設コンクリート構造物に埋込んでその接合部位における接続或いは補強部材とすることは広く知られている。
【０００３】
そして、この異形棒鋼製差筋アンカは、既設コンクリート構造物に強固に植設されて新設コンクリート構造物を引留める必要があり、そのために筒状ウエッジが取付孔の深い位置で押拡げられ大きなコーン状破壊強度を得るように約４５ｍｍ以上挿入すること、およびコンクリートに充分に喰付いて新設コンクリート構造物を強固に引留めるとともにその補強材である鉄筋の一部として有効利用されるように取付孔から約４５０ｍｍ以上突出させることが要求されている。
【０００４】
従って、差筋アンカをこの基準通りに床や基礎に植設すると、これらの表面から上方へ向かって多数本の異形棒鋼が突出することとなり、差筋アンカ打込みや新設コンクリート打設準備などを行なう作業者は林立する多数本の異形棒鋼の近くやそれらの間を工具、資材などを持って歩行しなければならないことが多い。そのため、誤って足が異形棒鋼に衝り或いは引掛かってつまずいたり転倒すると異形棒鋼が体に深く突き刺って死亡に至る事故を招く危険がある。
【０００５】
そこで、異形棒鋼の突出端である基端にキャップを装着し安全を計ることが考えられているが、新設コンクリート構造物の配筋となる鉄筋を縦添えに添設する場合にキャップが邪魔になるので取外さなければならず、打込み前に装着し配筋作業時に除去するという作業を異形棒鋼の一本毎に行なうこととなってきわめて面倒であるばかりか、別部品であるキャップを多数個準備しておかなければならないので管理面、取扱い面できわめて厄介である。
これらの理由により、差筋アンカを植設したときその打込みに使用したハンマをそのまま用いて異形棒鋼の基端部を横方向へ叩打し曲げることにより、安全の確保と作業の能率向上、工費の節減を計る、という考え方がある。
【０００６】
一方、差筋アンカについて見ると、図５のＡに示したように異形棒鋼３１の先端部にそのフシ３２およびリブ３３を含む外径と等しいかまたはこれよりも大きい内径とした円筒形の筒状ウエッジ３５の基端部を嵌装し、この嵌装部分全体を外側からダイスまたはプレス型を押付けて圧縮し、筒状ウエッジの肉をフシとリブとの間に圧入して隙間なく圧着することにより異形棒鋼３１の先端部に筒状ウエッジ３５を固定し、この筒状ウエッジ３５の割溝３７によって分割された先端部分に円錐状の拡開用プラグ３９を嵌込んだ構成としたものが一般的である（実公平５−１５２２号公報参照）。
【０００７】
即ち、筒状ウエッジ３５は嵌装部分が圧縮されて先端部分よりも小径となっているため、筒状ウエッジ３５の先端部分の外径と等しいかまたはこれよりも大きい径であることを要する既設コンクリート構造物の取付孔内で先端部分を拡開用プラグ３９で拡張し取付孔壁に喰付かせたとき、差筋アンカは最先端の拡張部分のみが取付孔壁に接し、圧縮部分３６および異形棒鋼３１が取付壁に接触していない状態で固定される。
【０００８】
このような植設状態の差筋アンカの異形棒鋼を前記のように危険防止などのためハンマで横方向へ叩打し基端部を曲げようとすると、図５のＢに示したように最先端の拡張部分４０を支点として取付孔壁４１と圧縮部分３６または異形棒鋼３１との隙間分だけ全体が傾いてしまい、そのために拡張部分４０の一端方が取付孔壁４１に強く押付けられることと打撃に伴う衝撃や振動が加わることとによって取付孔壁４１を切削し拡大してしまう。
このため、拡開用プラグ３９によって取付孔壁４１に充分な引張り支持力をもたせて喰付いた拡張部分４０は、取付孔が拡大することによって引張り支持力を低下し、新設コンクリート構造物を強固に且つ安定よく引留めることができなくなる。
【０００９】
【発明が解決しようとする課題】
本発明が解決しようとする課題は、従来の異形棒鋼製差筋アンカが既設コンクリート構造物の表面に林立して植設されたとき、危険防止のため異形棒鋼の基端にキャップをかぶせるのはきわめて面倒であるとともに管理面、経費面などで不利であり、また異形棒鋼の基端部を曲げることにより安全を計ると引張り支持力を低下する、という問題を抱えており、別部品を用いることなく且つ植設状態で引張り支持力を低下させる心配なく異形棒鋼の基端部を曲げて安全を計ることができるものがなかった、という点である。
【００１０】
【課題を解決するための手段】
本発明は前記課題を解決し、異形棒鋼の基端部をハンマで叩打して曲げることにより危険防止を計っても既設コンクリート構造物に動くことなく固定され引張り支持力を低下させることがない差筋アンカを提供することを目的とする。
即ち、そのために異形棒鋼の先端部に嵌装して圧縮により圧着して固定されている筒状ウエッジと、この筒状ウエッジの先端側に形成された複数個の拡張部片を押し拡げるための拡開用プラグとを具えた差筋アンカにおいて、筒状ウエッジの異形棒鋼への嵌装部分を基端縁部に原形状を残して全周で圧縮し、原形状の基端縁部が鍔片を形成しているものとした。
【００１１】
【作用】
既設コンクリート構造物に穿設した取付孔に拡開用プラグを装着した筒状ウエッジを挿入し、異形棒鋼の基端面をハンマで叩打して拡張部片を押し拡げ取付孔壁に喰付かせることにより固定する。異形棒鋼の基端部を危険防止のためハンマで叩打し曲げるとき、筒状ウエッジの先端側の拡張部片と基端縁部の圧縮させることなく原形状を残すことによって形成された鍔片とが取付孔壁に接して傾きを防止し、従って引張り支持力を低下することなく曲げることができる。
【００１２】
【実施例】
図面を参照して本発明の実施例を説明すると、図１、図２、図３においてフシ２およびリブ３を有する所定長さの異形棒鋼１の先端部にそのフシ２およびリブ３を含む外径と等しいかまたはこれよりも少し大きい内径とした円筒形の筒状ウエッジ５の基端部が嵌装され、この嵌装部分は基端縁部を残して図３に示されているように全周で圧縮されその部分の肉がフシ２とリブ３との間に圧入されて隙間なく圧着することにより異形棒鋼１の先端部に筒状ウエッジ５が固定されている。
【００１３】
前述の圧縮部分６はブレス型を外側から押付けて円形の外側周面を例えば正六角形に圧縮形成することにより作られ、フシ２とリブ３との間に圧入する分だけ外径が縮小している。そして、圧縮することなく原形状のまま残した基端縁部は鍔片７を形成している。
【００１４】
また、筒状ウエッジ５の先端側には先端縁から軸線方向へ延びる円周方向等間隔で設けた例えば四本の割溝８によって分割形成された四個の拡張部片９を有しており、截頭円錐形の拡開用プラグ１１がこの先端部に嵌込まれている。
【００１５】
このような構成の本実施例は、図４に示すように筒状ウエッジ５の外径と等しいかまたはこれよりも僅かに大きい径であって所定深さの取付孔２２を既設コンクリート構造物２１に穿設して拡開用プラグ１１が孔底に達するまで挿入し、異形棒鋼１の基端面をハンマで強く叩打して異形棒鋼１に固定された筒状ウエッジ５の拡張部片９を拡開用プラグ１１によって押し拡げることにより取付孔壁に喰付かせ固定するものであり、取付孔２２の入口に近い部分で鍔片７が取付孔壁に接している。
【００１６】
既設コンクリート構造物２１の表面に突出している異形棒鋼１を危険防止のためハンマで横方向へ叩打して基端部を曲げるとき、筒状ウエッジ５は先端側の拡張部片９と基端の鍔片７とが取付孔壁に接しているため打撃に伴う衝撃や振動が加えられても動かず、従って拡張部片９が取付孔壁の一側方を切削拡大して傾くということがない。このため、筒状ウエッジ５に固定されている異形棒鋼１も傾くことなく直立状態を維持して基端部を曲げることができ、且つ筒状ウエッジ５と取付孔２２との間に緩みを生じないため引張り支持力を低下させることがない。
【００１７】
【発明の効果】
以上の説明から理解されるように、異形棒鋼の先端部に圧縮により圧着固定した筒状ウエッジの基端に原形状を残した鍔片を設けた本発明によると、既設コンクリート構造物の表面に突出した異形棒鋼を傾けることなく横方向へ叩打して曲げることができる。即ち、これにより引張り支持力を低下させることなく人が倒れても身体に突き刺さる心配がなく、且つ新設コンクリート構造物の引留め力を増大する曲げ部分を形成することができるものである。
【図面の簡単な説明】
【図１】本発明の実施例の正面図。
【図２】図１の拡大縦断面部分図。
【図３】図２のＸ−Ｘ線に沿う断面図。
【図４】図１の実施例の使用状態の縦断面部分図。
【図５】従来例およびその使用状態の縦断面部分図。
【符号の説明】
１  異形棒鋼，  ５  筒状ウエッジ，  ６  圧縮部分，  ７  鍔片，  ９  拡張部片，  １１  拡開用プラグ，
【図１】
0003561785.tif 000002
【図２】
0003561785.tif 000003
【図３】
0003561785.tif 000004
【図４】
0003561785.tif 000005
【図５】
0003561785.tif 000006